(57)【要約】【課題】プロジェクションマッピングを使用してエンターテイメント性を向上させるテーブルシステムにおいて、プロジェクションマッピングで提供するコンテンツの自由度を高め、且つ自動的に選定し、投影することができるテーブルシステムを提供する。【解決手段】透明板７に調光フィルム６を積層してなる天板１を備えた食事用のテーブルと、テーブルの天板上に載置された１以上の食器具２と、食器具に付与された情報を取得する読取手段３と、テーブルに映像を投影する投影手段４と、少なくとも、調光フィルムと読取手段と投影手段、の動作を制御する制御装置と、を備えており、前記情報は、食器具に備えられた非接触で読み書き可能な情報記録媒体に記録されており、投影手段が投影する映像のコンテンツは、読取手段が取得した前記情報に基づいて制御装置により選択されたコンテンツであることを特徴とするテーブルシステム１０。【選択図】図１
2020064137.tif 000002
【特許請求の範囲】
【請求項１】
映像を表示可能なテーブルシステムであって、
透明板に調光フィルムを積層してなる天板を備えた食事用のテーブルと、
テーブルの天板上に載置された１以上の食器具と、
食器具に付与された情報を取得する読取手段と、
テーブルに映像を投影する投影手段と、
少なくとも、調光フィルムと読取手段と投影手段、の動作を制御する制御装置と、を備えており、
前記情報は、食器具に備えられた非接触で読み書き可能な情報記録媒体に記録されており、
投影手段が投影する映像のコンテンツは、読取手段が取得した前記情報に基づいて制御装置により選択されたコンテンツであることを特徴とするテーブルシステム。
【請求項２】
前記情報記録媒体が非接触ＩＣタグであることを特徴とする請求項１に記載のテーブルシステム。
【請求項３】
前記読取手段が前記非接触ＩＣタグのリーダ・ライタであることを特徴とする請求項１または２に記載のテーブルシステム。
【請求項４】
前記投影手段がプロジェクタであることを特徴とする請求項１に記載のテーブルシステム。
【請求項５】
前記制御手段が、予め設定したテーブルの天板上の複数に区分された各領域内にある食器具に記録された情報を、各領域をそれぞれ担当する読取手段に取得させ、取得した情報に基づいてそれぞれの領域に投影すべきコンテンツを選択し、それらのコンテンツをそれぞれの領域を担当する投影手段に投影させる手段であることを特徴とする請求項１に記載のテーブルシステム。 
【発明の詳細な説明】
【技術分野】
【０００１】
本発明は、レストランや結婚式場などの食事用テーブルにプロジェクションマッピングを適用することにより、食事のエンターテイメント性を向上させたテーブルシステムに関する。
【背景技術】
【０００２】
近年、建造物、家具、自動車等の立体物をスクリーンとして、映像や画像のコンテンツを投影するプロジェクションマッピングと呼ばれる投影方法が提案されている。例えば、特許文献１に開示されている技術は、立体スクリーンの三次元データを用いて投影画像を補正するための膨大な計算を不要とした安価な投影システムとその投影システムを使用した投影方法である。具体的には、その様な投影装置を使用して画像や映像を三次元スクリーンとなる対象物に投影する投影システムにおいて、画像コンテンツを投影する投影装置と、投影装置とは異なる１つ以上の位置に配置され、対象物に投影された画像コンテンツの１または複数の部分的な画像コンテンツを取得する１または複数のカメラと、そのカメラによって取得された１または複数の部分的な画像コンテンツを記憶する手段と、記憶する手段に記憶された１または複数の部分的な画像コンテンツを対象物に投影する１または複数の別の場所に配置された投影装置と、を有することを特徴とする投影システムである。
【０００３】
この様な投影システムを使用して対象物に仮想現実的な画像や映像を投影することによって、例えば、斬新で印象に残る華やかなパーティ演出方法（特許文献２）や、来店者を楽しませる独自のエンターテイメントを提供可能で、飲食店や飲食物を来店者にアピール可能なプロジェクションマッピングシステム（特許文献３）が開示されている。
【０００４】
特許文献３に開示されている技術は、映像を投影する３Ｄプロジェクタを利用したプロジェクションマッピング出力システムであって、それが、飲食物を提供する飲食店に来店した来店者の目前のテーブル上に、何かが始まることを予期させる予告映像を３Ｄプロジェクタから投影する予告映像投影手段と、予告映像投影手段によって予告映像を投影した後、所定の飲食物の調理課程を表す調理過程映像を３Ｄプロジェクタからテーブル上に投影する調理過程映像投影手段と、を有していることが特徴となっている。
【０００５】
また、非特許文献１には、食事用テーブルにプロジェクションマッピングを使用した演出の状況が映像として示されている。具体的には、ディナーテーブルの上に、白いテーブルクロスが敷かれており、更に白いページだけの本が置かれている。その本の表紙を開くと、ディナーテーブルの上方に設置された３Ｄプロジェクタから３Ｄ映像が投影され、小人のキャラクターがストーリーを展開してゆくものである。これにより、来店者は食事が出てくる間の時間をもてあますことが無くなり、料理の知識やその他の知識などを学ぶこともできる。
【０００６】
この様にして、プロジェクションマッピングを使用したテーブルシステムによりエンターテイメント性を向上させることができるが、提供するコンテンツの融通性には改善の余地がある。
【０００７】
例えば、所定サイズの食器等が予め定められたテーブル面（テーブルの天板の面）に投影するプロジェクションマッピングシステムであるため、テーブル面上の食器の位置や使用する食器の大きさが規定される。そのため、レストランのサービス内容、特に食器選択の自由度が低いという指摘がなされている。
【０００８】
また、食器が破損するなどの予期しないトラブルが生じた時に対応ができない問題がある。
【０００９】
また、投影される映像はテーブル単位で決まることから、注文可能な料理の自由度が低い問題もある。料理の説明は料理毎に異なり、来店者からオーダーされる料理は変化に富んでいる。そのため、プロジェクションマッピングで提供可能なコンテンツは共通性が高い範囲に限定されざるを得なくなる。
【先行技術文献】
【特許文献】
【００１０】
【特許文献１】特許第５４６５７０８号公報
【特許文献２】特開２０１６−１５８９５３号公報
【特許文献３】特開２０１８−１０１３１２号公報
【非特許文献】
【００１１】
【非特許文献１】インターネット（ＵＲＬ：ｈｔｔｐ：／／ｗｗｗ．ｓｋｕｌｌｍａｐｐｉｎｇ．ｃｏｍ／）
【発明の概要】
【発明が解決しようとする課題】
【００１２】
上記の事情に鑑み、本発明は、プロジェクションマッピングを使用してエンターテイメント性を向上させるテーブルシステムにおいて、プロジェクションマッピングで提供可能なコンテンツの自由度を高め、且つ提供するコンテンツを自動的に選定し、投影することができるテーブルシステムを提供することを課題とする。
【課題を解決するための手段】
【００１３】
上記の課題を解決する手段として、本発明の第一の態様は、映像を表示可能なテーブルシステムであって、
透明板に調光フィルムを積層してなる天板を備えた食事用のテーブルと、
テーブルの天板上に載置された１以上の食器具と、
食器具に付与された情報を取得する読取手段と、
テーブルに映像を投影する投影手段と、
少なくとも、調光フィルムと読取手段と投影手段、の動作を制御する制御装置と、を備えており、
前記情報は、食器具に備えられた非接触で読み書き可能な情報記録媒体に記録されており、
投影手段が投影する映像のコンテンツは、読取手段が取得した前記情報に基づいて制御装置により選択されたコンテンツであることを特徴とするテーブルシステムである。
【００１４】
食卓用のテーブルの天板上に、白いテーブルクロスを敷く代わりに、透明な天板に調光フィルムを積層したものを使用する。その事により、テーブルの天板を透明な状態にすることも可能であり、白濁させることによって白いテーブルクロスと同様にスクリーンとして機能させることができる。この機能により、最初透明であったテーブルの天板に、立体的な映像が映し出される驚きによるエンターテイメント性の向上が期待できる。
更に、透明状態と白濁状態の中間的な状態も実現可能であるため、プロジェクションマッピングなどによる映像のエンターテイメント性をより高めたものにできる可能性がある。
【００１５】
本発明のテーブルシステムは、食器具に付与された情報記録媒体に料理に関する情報や
その他任意の情報を記録しておき、それをテーブルに備えられた読取手段によってそれらの情報を取得し、その情報に基づいて選択したコンテンツをプロジェクションマッピングなどによる映像を表示することが特徴であり、食器具毎の情報に基づくコンテンツを提供することが可能である。そのため、提供可能なプロジェクションマッピングなどなどのコンテンツの自由度が高い。
【００１６】
また、第二の態様は、前記情報記録媒体が非接触ＩＣタグであることを特徴とする第一の態様に記載のテーブルシステムである。
【００１７】
また、第三の態様は、前記読取手段が前記非接触ＩＣタグのリーダ・ライタであることを特徴とする第一または二の態様に記載のテーブルシステムである。
【００１８】
また、第四の態様は、前記投影手段がプロジェクタであることを特徴とする第一の態様に記載のテーブルシステムである。
【００１９】
また、第五の態様は、前記制御手段が、予め設定したテーブルの天板上の複数に区分された各領域内にある食器具に記録された情報を、各領域をそれぞれ担当する読取手段に取得させ、取得した情報に基づいてそれぞれの領域に投影すべきコンテンツを選択し、それらのコンテンツをそれぞれの領域を担当する投影手段に投影させる手段であることを特徴とする第一の態様に記載のテーブルシステムである。
【発明の効果】
【００２０】
本発明のテーブルシステムは、テーブルの天板が透明板と調光フィルムの積層体であるため、透明状態と白濁状態を切り替え可能である。そのため、最初透明であったテーブルの天板が、映像を投影可能なスクリーンに変貌する驚きを提供できる事に加え、透明状態と白濁状態の中間的な状態を設定可能であることで、よりエンターテイメント性を向上させることができる可能性がある。
【００２１】
また、テーブル上に載置される食器具に付与された情報記録媒体に記録されている情報を、読取手段を用いて非接触で読取可能であり、食器具から読み取った情報に基づき投影するプロジェクションマッピングなどのコンテンツを選択する事が可能である。また、投影手段から投影するプロジェクションマッピングなどのコンテンツを改めて人が設定することなく、自動的に適切なコンテンツをテーブル上に投影することが可能となる。     
【図面の簡単な説明】
【００２２】
【図１】本発明のテーブルシステムの構成例を示す俯瞰図。
【図２】本発明のテーブルシステムにおけるテーブルの断面構造を例示する断面図。
【図３】本発明のテーブルシステムで使用するテーブルの天板の断面構造を例示する断面図。
【発明を実施するための形態】
【００２３】
本発明のテーブルシステムを図１〜３を用いて説明する。  
図１は、本発明のテーブルシステム１０の全体構成の例を示す俯瞰図である。テーブルの天板１が均等に区分された４つの領域５（５−１、５−２、５−３、５−４）からなる場合を例示したものである。各領域は均等に区分されている必要はなく、任意の区分の仕方であって良い。それらの各領域の中に、それぞれ食器具２（２−１、２−２、２−３、２−４）が載置された状態を例示している。食器具２を構成する食器の数や種類は任意であって良い。また、各食器具２の各食器にはそれぞれの食器に盛り付けられた料理などを説明するプロジェクションマッピングのコンテンツに対応した情報が記録された情報記録媒体が備えられている。食器に取り付けられた情報記録媒体は図示を省略した。また、テ
ーブルの天板１の下側に、情報記録媒体に記録された情報を読み取る読取手段３（３−１、３−２、３−３、３−４）と、投影手段４（４−１、４−２、４−３、４−４）が配置された場合を示したが、これに限定する必要はない。例えば、投影手段４は天板１の上方に配置されていても良い。読取手段３の設置場所も天板１の下方に限定する必要は無く、例えば天板１の中に内包されていても良いし、天板１の下面に設置されていても構わない。なお、投影手段が天板１の上側に配置されていると、フォークなどのカトラリーを使用した時に、フォークなどやフォークなどを持つ手に映像が移り込む。投影手段４を天板１の下側に配置した場合は、その問題を回避することができる。
【００２４】
図２は、本発明のテーブルシステム１０で使用する天板１の断面構造を例示したものである。透明板７に調光フィルム６が貼り合わされた構造を例示したが、これに限定する必要は無い。調光フィルム６が、２枚の透明板によって挟み込まれた構成であっても良い。少なくともガラス板などの透明板７と調光フィルム６が積層された構成が備えられていれば良い。
【００２５】
図３は、本発明のテーブルシステム１０を構成する装置の概念図である。テーブルの天板１が、図１に例示した様な４つの領域５（５−１、５−２、５−３、５−４）に区分されている場合に、例えば領域５−１にある食器具２−１に記録された情報Ａを読取手段Ａが読み取る。その情報Ａを制御装置が取得すると、制御装置は食器具２−１の情報に基づいて、投影手段４−１が投影するプロジェクションマッピングのコンテンツを読み出して、そのコンテンツのデータを投影手段４−１のドライバに送り、そのデータに従って投影手段４−１がテーブルの天板１にプロジェクションマッピングを投影し、展開して行く。他の食器具２（２−２、２−３、２−４）に記録された情報についても同様にして、領域５−２、５−３、５−４にプロジェクションマッピングが展開されてゆく。
【００２６】
一方、制御装置は調光フィルム用ドライバに信号を送ることで、調光フィルム６の透明・白濁状態を制御する。例えば、制御装置からの信号に従って、テーブルの天板１を最初は透明にしておくことができる。来店者が料理のオーダーをすると、料理が出来上がるまでの時間を退屈させないためのプロジェクションマッチングのコンテンツを展開することができる。この時は、テーブルの天板１を白濁状態にする。料理が盛り付けられた食器具２がテーブルの天板１上に置かれると、今度は、料理の内容に沿ったプロジェクションマッピングのコンテンツを展開することが可能である。
【００２７】
以下に、本発明のテーブルシステム１０について、更に詳しく説明する。
【００２８】
＜テーブルシステム＞
本発明のテーブルシステム１０は、プロジェクションマッピングにより映像を表示可能なテーブルシステムである。
【００２９】
図１に例示した様に、本発明のテーブルシステム１０は、透明板７に調光フィルム６を積層してなる天板１（図２参照）を備えた食事用のテーブルと、テーブルの天板１上に載置された１以上の食器具２と、食器具２に付与された情報を取得する読取手段３と、テーブルにプロジェクションマッピングにより映像を投影する投影手段４と、調光フィルム６と読取手段３と投影手段４の動作を制御する制御装置（図３参照）と、を備えている。制御装置は、調光フィルム６と読取手段３と投影手段４の構成要素以外の構成要素がある場合は、それも含めて制御する。
【００３０】
また、前記情報は、食器具に備えられた非接触で読み書き可能な情報記録媒体に記録されている。
【００３１】
また、投影手段４が投影するプロジェクションマッピングのコンテンツは、読取手段３
が取得した前記情報に基づいて制御装置により選択されたコンテンツである。プロジェクションマッピングのコンテンツのデータは、制御装置の内部に備えられた記憶装置に保存されていても良いし、制御装置以外の外部記憶装置（図示省略）に保存されていても構わない。
【００３２】
（調光フィルム）
本発明のテーブルシステム１０におけるテーブルの天板１を構成する調光フィルム６は、従来から使用されて来た各種の液晶調光フィルムを好適に使用することができる。
液晶調光フィルムとは、ポリエチレンテレフタレートなどの透明樹脂フィルムの片面に、ＩＴＯ（Ｉｎｄｉｕｍ  Ｔｉｎ  Ｏｘｉｄｅ）などの透明導電膜からなる透明電極を形成した２枚の透明導電フィルムの透明電極側を内側にして、液晶材料からなる調光層を積層した積層体である。この積層体の透明電極間に適切な交流電圧を印加することにより、透明状態と光散乱により白濁した状態を切り替える事ができる。
従来から、電圧を印加した時に透明状態になるノーマルタイプの調光フィルムが知られていたが、最近になって、電圧を印加した時に白濁状態となり、電圧を切ると透明状態になるリバースタイプの調光フィルムが入手可能となっている。
本発明のテーブルシステム１０における調光フィルム６は、ノーマルタイプであっても、リバースタイプであっても使用可能である。
【００３３】
（プロジェクションマッピングのコンテンツ）
プロジェクションマッピングのコンテンツは、従来のプロジェクションマッピングと同様に、予め作成された複数のコンテンツから構成されている。必要な場面で必要なコンテンツを必要な場所に投影する。本発明のテーブルシステム１０においては、食器具２を構成する食器毎に備えられた情報が最小単位の情報となる。すなわち、図３に示した食器具２−１の情報とは、食器具２−１を構成する全ての食器に付与されている個々の情報からなる。食器具２−２〜２−４の情報についても同様である。
【００３４】
そのため、１つのテーブル上には同一のプロジェクションマッピングのコンテンツが投影されるのではなく、複数に分割されたテーブル上の領域５−１〜領域５−４では、それぞれ異なったコンテンツを投影することが可能である。
【００３５】
（情報記録媒体）
情報記録媒体としては、非接触ＩＣタグを好適に使用することができるが、これに限定する必要は無い。非接触で読み書き可能な情報記録媒体であれば良い。例えば、リライタブルな光情報記録層を食器具の底面に形成しておくことでも良い。その情報記録層にレーザービームを使用して書き込むことができる。例えば、料理が盛り付けられた食器具２がテーブルの天板１上に置かれた時に、テーブルの天板１を一時的に透明にして、テーブルの天板１の下方に備えられた光学的な読取手段３を使用して読み取ることができる。
【００３６】
（読取手段）
読取手段３としては、読み取る対象が非接触ＩＣタグである場合は、非接触ＩＣタグのリーダ・ライタを使用すれば良い。また、読み取る対象がリライタブルな光情報記録層である場合は、書き込んだ情報を光学的に読み取る光学式の読取装置を使用することができる。
【００３７】
（投影手段）
投影手段４としては、プロジェクタを好適に使用することができる。
投影手段４を配置する位置としては、図１に例示した様にテーブルの天板１の下方に配置しても良いし、上方に配置しても良い。下方に配置する場合は、食器具２（食器やカトラリーなど）を配置する位置に依存しない映像演出が可能である。上方に配置する場合は
、食器具２が配置される位置を考慮して映像演出を行うことが好ましい。
【００３８】
また、投射手段４が投射するプロジェクションマッピングのコンテンツとしては、映像と一緒に、声、音楽、効果音などの音を同期させて流すことが可能である。この様にすることで、一層エンターテイメント性を高くすることが可能である。
【００３９】
（制御装置）
制御手段としては、例えば図１に示した様に、予め設定したテーブルの天板１上の複数に区分された各領域５−１、５−２、５−３、５−４内にあるそれぞれの食器具２−１、２−２、２−３、２−４に記録された情報を、各領域をそれぞれ担当する読取手段３−１、３−２、３−３、３−４に取得させ、取得した情報に基づいてそれぞれの領域に投影すべきプロジェクションマッピングのコンテンツを選択し、それらのコンテンツをそれぞれの領域５−１、５−２、５−３、５−４を担当する各投影手段４−１、４−２、４−３、４−４に投影させる手段であれば良い。この様な機能を果たすことができる制御装置としては、専用の制御プログラムを備えたコンピュータ装置を挙げることができる。なお、図１は１つの例を示したものであり、テーブルの天板１の区分の方法は任意であって良く、それぞれの領域および各領域に載置された食器具を担当する読取装置と投影装置が設定されていれば良い。
【００４０】
また、制御装置によって制御される読取手段３−１、３−２、３−３、３−４、投影手段４−１、４−２、４−３、４−４は、コンピュータ装置との信号のやり取りを可能とするためのＨＰ−ＩＢ（Ｈｅｗｌｅｔｔ−Ｐａｃｋａｒｄ  ＩｎｓｔｒｕｍｅｎｔＢｕｓ）やＧＰＩＢ（Ｇｅｎｅｒａｌ  Ｐｕｒｐｏｓｅ  Ｉｎｔｅｒｆａｃｅ  Ｂｕｓ）などのインターフェース装置を介して接続することができる。また、プロジェクタなどの投影手段を駆動するための投影手段用ドライバが接続され、そのドライバと制御装置とがインターフェース装置（図示省略）を介して接続されていても良い。
【００４１】
（テーブルの天板）
テーブルの天板１としては、透明板７に調光フィルム６を積層した積層体である。
透明板７としては、透明であり、食事用のテーブルの天板としての機械的な強度を備えたものであれば特に限定する必要は無い。
例えば、強化ガラスや各種の透明樹脂からなる透明樹脂板を挙げることができる。
また、図２には透明板７と調光フィルム６の２層構成の例を示したが、これに限定する必要は無い。例えば、２枚の透明板により調光フィルムを狭持した構成であっても良い。また、透明板７と調光フィルム６の積層体の調光フィルム６側に透明層を形成した構成であっても良い。
【００４２】
（食器具）
食器具２（２−１、２−２、２−３、２−４）としては、情報記録媒体を備えた食器であれば特に限定する必要は無い。セラミック製、ガラス製、樹脂製、木製あるいはこれらを複合させた材料からなる食器を使用することができる。
なお、食器具２としては、各種の皿、カップなどの食器やフォークやナイフなどのカトラリーを含む。
【００４３】
テーブルの天板に映像を投影する手段として、プロジェクションマッピングの場合を例として本発明のテーブルシステムについて説明したが、これに限定することを意味するものではない。映像が投影可能な手段であれば如何なる手段であっても構わない。
【符号の説明】
【００４４】
１・・・テーブルの天板
２、２−１、２−２、２−３、２−４・・・食器具
３、３−１、３−２、３−３、３−４・・・リーダー
４、４−１、４−２、４−３、４−４・・・投影手段
５、５−１、５−２、５−３、５−４・・・（複数に分割されたテーブル上の）領域
６・・・調光フィルム
７・・・透明板
１０・・・テーブルシステム
【図１】
2020064137.tif 000003
【図２】
2020064137.tif 000004
【図３】
2020064137.tif 000005